(57)【要約】  ネットワーク上で、データベースに接続されるサーバーコンピュータとサーバーコンピュータに接続される少なくとも１つのクライアントコンピュータとを含むシステムにおいて独特なアイテムの所有権の経過を追うためのシステム及び方法が提供される。動作において、アイテムに関する情報は、クライアントコンピュータに入力される。少なくともアイテムの説明及びその所有者を含む情報は、クライアントコンピュータから、情報がデータベースに記憶されるサーバーコンピュータにアップロードされる。それに応じて、システムは、サーバーからクライアントコンピュータに、情報に関する取引識別番号とアイテムに関するアイテム番号とを提供する。ユーザーはクライアントコンピュータにおいて、アイテムの現在の所有者を決定するために、データベースでアップロード情報にアクセスする取引識別番号を使用することができる。
2007526583.tif 000002
【特許請求の範囲】
【請求項１】
ネットワーク上でデータベースに接続されるサーバーコンピュータと、前記サーバーコンピュータに接続される少なくとも１つのクライアントコンピュータとを含むシステムで独特のアイテムの所有権の経過を追うための方法であって、
前記アイテムに関して前記クライアントコンピュータで入力され、少なくとも前記アイテムの説明及びその所有者の識別を含む情報を、前記サーバーコンピュータで受取る段階と、
前記アイテムの前記所有権の登録を生成するために前記データベースに、受取ったアイテム識別情報を記憶する段階と、
前記登録に関する取引識別番号と登録された前記アイテムに関するアイテム番号とを前記サーバーコンピュータから前記クライアントコンピュータに提供する段階と、
アクセス要求と前記取引識別番号との前記サーバーコンピュータでの受取りに応答して、前記アイテムの現在の所有権の遠隔決定を可能にするために、前記データベースで前記登録情報に前記少なくとも一つのクライアントコンピュータによってアクセスを提供する段階と、
後続の所有者の識別を含む所有権の移転に関する情報と前記取引番号との前記サーバーコンピュータでの受取りに応答して、新しい所有者を示すために、及び前記アイテムの売り手として以前の所有者を示すために前記データベースで前記登録情報を更新する段階と、
前記登録情報の更新に応答して、新規取引識別番号を前記サーバーコンピュータから前記クライアントコンピュータに提供する段階と
を具備することを特徴とする方法。
【請求項２】
ネットワーク上でデータベースに接続されるサーバーコンピュータと、前記サーバーコンピュータに接続される少なくとも１つのクライアントコンピュータとを含むシステムで独特のアイテムの所有権の経過を追うための方法であって、
前記アイテムに関して前記クライアントコンピュータで入力され、少なくとも前記アイテムの説明及びその所有者の識別を含む情報を、前記サーバーコンピュータで受取る段階と、
前記アイテムの前記所有権でありかつ所定期間で有効な登録を生成するために前記データベースに、受取ったアイテム識別情報を記憶する段階と、
前記登録に関する取引識別番号と登録された前記アイテムに関するアイテム番号とを前記サーバーコンピュータから前記クライアントコンピュータに提供する段階と、
更新要求及び前記取引識別番号の前記サーバーコンピュータでの受取りに応答して、追加の所定期間のために前記登録を再開するために前記データベースで登録情報にアクセスを提供する段階と
を具備することを特徴とする方法。
【請求項３】
ネットワーク上でデータベースに接続されるサーバーコンピュータと、前記サーバーコンピュータに接続される少なくとも１つのクライアントコンピュータとを含むシステムで独特のアイテムの所有権の経過を追うための方法であって、
前記アイテムに関して前記クライアントコンピュータで入力され、少なくとも前記アイテムの説明及びその所有者の識別を含む情報を、前記サーバーコンピュータで受取る段階と、
前記アイテムの前記所有権の登録を生成するために前記データベースに、受取ったアイテム識別情報を記憶する段階と、
前記登録に関する取引識別番号と登録された前記アイテムに関するアイテム番号とを前記サーバーコンピュータから前記クライアントコンピュータに提供する段階と、
アクセス要求と前記取引識別番号との前記サーバーコンピュータでの受取りに応答して、前記アイテムの現在の所有権の遠隔決定を可能にするために、前記データベースで前記登録情報に前記少なくとも一つのクライアントコンピュータによってアクセスを提供する段階と
を具備することを特徴とする方法。
【請求項４】
ネットワーク上でデータベースに接続されるサーバーコンピュータと、前記サーバーコンピュータに接続される少なくとも１つのクライアントコンピュータとを含むシステムで独特のアイテムの所有権の経過を追うための方法であって、
前記アイテムに関して前記クライアントコンピュータで入力され、少なくとも前記アイテムの説明及びその所有者の識別を含む情報を、前記サーバーコンピュータで受取る段階と、
前記アイテムの前記所有権の登録を生成するために前記データベースに、受取ったアイテム識別情報を記憶する段階と、
前記登録に関する取引識別番号と登録された前記アイテムに関するアイテム番号とを前記サーバーコンピュータから前記クライアントコンピュータに提供する段階と、
後続の所有者の識別を含む所有権の移転に関する情報と前記取引番号との前記サーバーコンピュータでの受取りに応答して、新しい所有者を示すために、及び前記アイテムの売り手として以前の所有者を示すために前記データベースで前記登録情報を更新する段階と、
前記登録情報の更新に応答して、新規取引識別番号を前記サーバーコンピュータから前記クライアントコンピュータに提供する段階と
を具備することを特徴とする方法。
【請求項５】
ユーザーは、前記サーバーコンピュータによって課金番号が提供され、かつ、前記登録が生成され、前記登録がアクセスされ、前記登録が更新され、又は前記登録が再開されるかの少なくとも何れか一方である時に前記ユーザー課金番号でそれらの資金を関連付ける前記ユーザー及び前記サーバーコンピュータから資金を受取る段階をさらに具備することを特徴とする請求項４に記載の独特のアイテムの所有権の経過を追うための方法。
【請求項６】
所有権の変化を含む後続の取引を示す登録を先の所有者に通知する段階をさらに具備することを特徴とする請求項４に記載の独特のアイテムの所有権の経過を追うための方法。
【請求項７】
前記アイテムに関する前記情報は、前記アイテムを認証する情報をさらに含むことを特徴とする請求項３に記載の独特のアイテムの所有権の経過を追うための方法。
【請求項８】
前記アイテムに関する前記情報は、前記アイテムの価値を評価する情報をさらに含むことを特徴とする請求項３に記載の独特のアイテムの所有権の経過を追うための方法。
【請求項９】
前記アイテムに関する前記情報は、前記アイテムの前記所有者又は後続の所有者の住所の少なくとも１つをさらに含むことを特徴とする請求項４に記載の独特のアイテムの所有権の経過を追うための方法。
【請求項１０】
前記アイテムの前記後続の所有者に関する前記情報は、前記アイテムの所有権の移転のデータに関する情報をさらに含むことを特徴とする請求項４に記載の独特のアイテムの所有権の経過を追うための方法。
【請求項１１】
前記アイテムに関する前記情報は、前記アイテムの画像をさらに含むことを特徴とする請求項３に記載の独特のアイテムの所有権の経過を追うための方法。
【請求項１２】
前記データベースで前記登録情報にアクセスすることは、全ての先に登録された取引の少なくとも一部の履歴を開示することを特徴とする請求項４に記載の独特のアイテムの所有権の経過を追うための方法。
【請求項１３】
前記アイテムの少なくともいくつかの先の所有者に前記システムへ転送された資金の一部を分配する段階をさらに具備することを特徴とする請求項５に記載の独特のアイテムの所有権の経過を追うための方法。
【請求項１４】
前記アイテムの創作者は、前記システムに転送された前記資金の一部の分配を受取る先の所有者であることを特徴とする請求項１３に記載の独特のアイテムの所有権の経過を追うための方法。
【請求項１５】
前記アイテムは、美術品であり、前記アーティストは、ギャラリーによって自分のために販売されるそれを有し、前記アーティスト及びギャラリーは、前記システムに転送される前記資金の一部の分配を受取ることを特徴とする請求項１４に記載のアイテムの所有権の経過を追うための方法。
【請求項１６】
前記アイテムは、美術品であり、前記アーティストは、前記美術品の最初の所有者であり、前記アーティストは、ギャラリーによって自分のために販売されるそれを有し、前記ギャラリーは、登録を生成するために前記アイテムに関する情報を入力することを特徴とする請求項３に記載のアイテムの所有権の経過を追うための方法。
【請求項１７】
前記アイテムは、美術品であり、前記アーティストは、前記美術品の最初の所有者であり、前記アーティストは、ギャラリーによって自分のために販売されるそれを有し、前記ギャラリーは、前記ギャラリーが前記美術品を販売した後続の所有者に関する情報で前記登録を更新するために前記情報を入力することを特徴とする請求項４に記載のアイテムの所有権の経過を追うための方法。
【請求項１８】
独特のアイテムの所有権の経過を追うためのシステムであって、データベースに接続され、少なくとも一つのクライアントコンピュータにネットワークを介して接続され、少なくとも前記アイテムの説明及びその所有者の識別を含む前記クライアントコンピュータからの前記アイテムに関する情報を受取り、前記アイテムの所有権の登録を生成するために前記データベースに前記情報を記憶し、さらに前記登録に関する取引識別番号と登録された前記アイテムに関するアイテム番号とを前記クライアントコンピュータに提供し、前記取引識別番号の受取りに応答して、前記アイテムの現在の所有権を決定するために前記データベースで前記登録情報にアクセスを提供するサーバーコンピュータを具備することを特徴とするシステム。
【請求項１９】
前記サーバーコンピュータは、所有権の移転において、後続の所有者の識別と前記取引識別番号とを含む前記後続の所有者に関する情報をクライアントコンピュータから受取り、
後続の所有者に関する前記情報に基づき、前記サーバーコンピュータは、新しい所有者を示すために、及び前記アイテムの売り手として先の所有者を示すために前記データベースで前記登録情報を更新し、前記クライアントコンピュータに新たな取引識別番号を提供することを特徴とする請求項１８に記載のシステムで独特のアイテムの所有権の経過を追うためのシステム。
【請求項２０】
前記登録は、所定期間に有効であり、前記サーバーコンピュータは、クライアントコンピュータからの再開要求及び前記取引識別番号の受取りに応答して、前記データベースで前記登録情報へのアクセスを承認し、追加の期間のために前記登録を再開することを特徴とする請求項１８に記載のシステムで独特のアイテムの所有権の経過を追うためのシステム。
【請求項２１】
前記データベースは、ユーザーが識別される課金番号を示し、前記サーバーコンピュータは、登録を生成し、登録にアクセスし、登録を更新し、又は登録を再開するかの少なくとも何れか１つに応答して前記ユーザーから資金の転送を要求し、前記システムがそのような資金を受取る中、前記サーバーコンピュータは、前記ユーザー課金番号でそれら資金を関連付けることを特徴とする請求項１８に記載のシステムで独特のアイテムの所有権の経過を追うためのシステム。
【請求項２２】
前記資金は、電子資金決済、クレジットカード、又は事前設定アカウントのうちの１つによって受取られることを特徴とする請求項２１に記載のシステムで独特のアイテムの所有権の経過を追うためのシステム。
【請求項２３】
前記サーバーは、前記後続所有者の本当の識別を証明するためにアイテムの前記後続所有者の少なくとも１つの形式の前記クライアントから入力を要求し、前記サーバーは、前記後続の所有者とは無関係の情報のソースに対して前記識別をチェックすることを特徴とする請求項１９に記載の独特のアイテムの所有権の経過を追うためのシステム。
【請求項２４】
前記サーバーは、前記識別の前記チェックが完了し、かつ前記後続の所有者の前記識別を確認するまで、新たな取引識別番号を発行しないことを特徴とする請求項２３に記載の独特のアイテムの所有権の経過を追うためのシステム。
【請求項２５】
前記サーバーは、識別番号を発行する時は常に権利書の発行を許可することを特徴とする請求項２４に記載の独特のアイテムの所有権の経過を追うためのシステム。
【請求項２６】
前記サーバーは、前記後続所有者の前記識別を認証する情報を取得するために前記後続所有者の前記識別が確認できない時は常に前記アイテムの前記登録された所有者にメッセージを送信することを特徴とする請求項２４に記載の独特のアイテムの所有権の経過を追うためのシステム。
【請求項２７】
前記サーバーは、認証番号が発行される時、権利書の発行を許可することを特徴とする請求項１８に記載の独特のアイテムの所有権の経過を追うためのシステム。
【請求項２８】
前記後続所有者の本当の識別を証明するためにアイテムの前記後続所有者に関する少なくとも一つの形式の識別情報として前記クライアントコンピュータからの入力を前記サーバーから受取る段階と、前記後続所有者の前記識別が証明されるか否かを決定するために前記後続所有者とは無関係の情報のソースに対して前記識別情報をチェックする段階とをさらに具備することを特徴とする請求項４に記載の独特のアイテムの所有権の経過を追うための方法。
【請求項２９】
前記新たな取引識別番号は、前記識別のチェックが完了し、かつ前記後続所有者の前記識別を確認するまで発行されないことを特徴とする請求項２８に記載の独特のアイテムの所有権の経過を追うための方法。
【請求項３０】
権利書は、識別番号が発行される時は常に発行されることを特徴とする請求項３に記載の独特のアイテムの所有権の経過を追うための方法。
【請求項３１】
前記後続所有者の前記識別を認証する情報を取得するために、前記後続所有者の前記識別が確認できない時は常に前記アイテムの前記登録された所有者にメッセージを送信する段階をさらに具備することを特徴とする請求項２８に記載の独特のアイテムの所有権の経過を追うための方法。
【請求項３２】
ネットワーク上でデータベースに接続されるサーバーコンピュータと、前記サーバーコンピュータに接続される少なくとも１つのクライアントコンピュータとを含むシステムで独特のアイテムの所有権の経過を追うための方法であって、
前記アイテムに関して前記クライアントコンピュータで入力され、少なくとも前記アイテムの説明及びその所有者の識別を含む情報を、前記サーバーコンピュータで受取る段階と、
一度前記アイテムが購入されると利用される前記アイテムの出所の記録を生成するために前記データベースに、受取ったアイテム識別情報を記憶する段階と、
前記登録に関する取引識別番号と登録された前記アイテムに関するアイテム番号とを前記サーバーコンピュータから前記クライアントコンピュータに提供する段階と、
アクセス要求と前記取引識別番号との前記サーバーコンピュータでの受取りに応答して、前記アイテムの現在の所有権の遠隔決定を可能にするために、前記データベースで前記登録情報に前記少なくとも一つのクライアントコンピュータによってアクセスを提供する段階と、
後続の所有者の識別を含む所有権の移転に関する情報と前記取引番号との前記サーバーコンピュータでの受取りに応答して、新しい所有者を示すために、及び前記アイテムの売り手として以前の所有者を示すために前記データベースで前記登録情報を更新する段階と、
前記登録情報の更新に応答して、新規取引識別番号を前記サーバーコンピュータから前記クライアントコンピュータに提供する段階と
を具備することを特徴とする方法。
【発明の詳細な説明】
【技術分野】
【０００１】
本出願は、２００４年３月１日に出願された米国仮特許出願番号６０／５４９２６３を基礎とする優先権主張を伴い、その全文を参考のためにここに示す。
【０００２】
本発明は、特にインターネット上で、アイテム等の価値及び販売可能性を高めるために貴重なアイテムの所有権を追跡するためのシステム及び方法に関する。
【背景技術】
【０００３】
対面式の取引において、貴重アイテムの売り手は、アイテムを示すことができるので、売り手がアイテムを所有していることが確認される。さらに、売り手は、売り手がアイテムの合法な所有者であることを示す販売書類を提供することができる。しかし、遠隔販売、例えば電話による又はインターネット上での販売において、買い手は、売り手が合法的な権利、例えばアイテムの所有権を有することだけでなく、アイテムを有することを確認するのが困難である。結果として、多くの人々は、例えば美術品又はスポーツ記念品等の独特なアイテムのオンライン購入をするのにためらう。また、悪意の個人が有していないか又は違法に取得した製品を、インターネット上で製品の不正販売を行うケースが存在する。これは、インターネット販売上有害な影響を有している。
【０００４】
これらの問題を解決するために、売り手がアイテムを、その存在及び場合によってその認証性を証明できる第三者に設置することが提案されている。しかし、これは、アイテムが第三者の場所に物理的に移動されなければならないので時間のかかる処理であり、販売処理に遅延が生じることがあり、アイテムの輸送及び保管に少なくともいくらか費用がかかる。さらに、第三者は、アイテムの認証性をチェックするために専門家を雇わなければならないことがあり、時間のかかる試みとなり、その独自の不確実性に曝される。さらに、認証は、かなり費用がかかる可能性がある。
【０００５】
故に、多大な時間の損失及び追加の大きな費用負担による不利益なく、販売のための合法なアイテムを有する売り手に対する購入者の信頼性を少なくとも高められるシステム及び方法を提供できることが望ましい。
【発明の開示】
【発明が解決しようとする課題】
【０００６】
本発明は、アイテムにおける少なくとも１つの合法的取引をレジストリカンパニーに手数料で登録することによって貴重で独特なアイテムの遠隔販売を高めるためのシステム及び方法を対象にする。具体的に、本発明は、貴重なアイテム、例えば美術品又はスポーツ記念品の所有権の移転が、eputableなソース、例えば美術館から販売を登録することによって記録されるシステム及び方法に関する。後続の移転がさらに登録されて所有権の連続又はプロビナンスを生成する。登録情報は、見込みのある買い手にインターネット上で手数料により利用可能にされる。故に、遠隔販売が例えばインターネット上で行われる時、即ちアイテムに対する所有権が問題になる時、潜在的な買い手は、売り手がアイテムに対する権利関係の連続において最近の者であることを確認することができる。
【０００７】
このシステムは、所有者が貴重なアイテムを合法的に所有している可能性が高いことを遠隔で示す能力を所有者に与える。任意で、レジストリカンパニーは、各後続取引において手数料で登録を更新する能力、即ちその所有権情報を登録及び入力する能力を後続の買い手に与えることができる。追加の代替として、レジストリカンパニーは、後続の取引が存在しなくても、登録された情報を再開及び維持する追加料金を毎年請求するために動作されうる。アイテムに関する現在及び過去の所有権情報は、現在及び／又は過去の所有者の賛成を得て手数料でウェブサイトにインターネット上で利用可能にされうる。
【０００８】
買い手の本物の識別の認証を要求するのが好ましい。これは、買い手の名前が識別のいくつかの形式に適合することを確認することによって行うことができる。さらにこれは、ファイル上の買い手の本当の識別を有することによって登録情報のデータベースに対して価値を高めかつ加える。権利書は、識別処理が完了するまで買い手に対して抑制されうる。この処理及び手続きが十分に完了できない場合、売り手のエージェント（例えば、ギャラリー）は、本物の所有者に関する追加の情報を取得するためにレジストリカンパニーによって連絡されうる。権利書の発行が延期されないようできるだけ早期に人の識別の確実な証明を取得するための取り組みが、レジストリカンパニーによって行われうる。
【０００９】
買い手の本当の識別の証明は、認証の連続を維持するのが元の買い手か又は後続の買い手かに関わらず、それぞれの買い手に対して達成される。
【００１０】
さらに、システムは、所有者が権利書を要求し、そのポートフォリオに現存の収集物及び独特なアイテムを登録することを可能にする。この登録タイプは、販売関係者からの証明可能なデータなく、登録者を起源とすることに留意されたい。しかし、万一信頼できるソースからの評価の情報が収集物又は独特なアイテムに利用可能であれば、この情報は、登録者のポートフォリオに入力される。これは、更新された評価記録を登録者が維持することを支援し、それにより損失が生じた場合に保険会社によって利用される貴重なデータを提供する。さらに、この証明可能な評価情報は、独特なアイテムを個々に又はレジストリカンパニーのサービスを介して販売する場合に、公平な価格を取得する登録者の能力を高める。
【００１１】
本発明のこの好ましい実施形態によると、ギャラリー又はストアは、アイテムの販売においてウェブサイトにオンラインで貴重なアイテムを登録することができる。登録は、アイテムの説明及び場合によってデジタル電子画像だけでなく、買い手及び売り手の取引、名前、及び住所のデータを含む。ウェブサイトは、このサービスに課金することができる。登録に応答して、ウェブサイトは、取引識別及び課金番号を提供しうるのが好ましい。
【００１２】
ギャラリー又はストアが買い手にアイテムを販売する時、仕入価格に元の登録費用を含ませ、販売時にその買い手に登録情報を提供することができる。買い手はまた、手数料で又はウェブサイトに連絡することによって含まれるサービスとして、登録を更新できる。この更新は、新たな買い手の情報及び買い手のデータを含む。比較的少ない情報が含まれるので、この登録は、元の手数料より低い手数料で可能となるか、又は手数料が最初の買い手から次の買い手への所有権の２つ目の移転においてのみ請求可能となる。元の取引からの取引識別番号及びアイテム番号は、登録又は所有権における変化が合法な所有者から元のギャラリー又はアーティストへ追跡可能であることを確実にするために用いることができる。更新に応答して、新規取引番号は、ウェブサイトによって発行されるか、又は元の番号は、確実に証明及び更新された所有者情報を有するアイテムに従うのが好ましい。この時点で、新たな又は元の権利書が発行される。取引番号の使用は、詐欺を犯すことを試みる何人かの第三者だけでなく、もはやアイテムを所有しない元のギャラリー又はストアが登録を不適切に変更できないことを確実にする。アイテム番号は、全ての後続取引を通して一定を維持する。しかし、アイテムが何らかの方法で変更された場合、例えばサインが元のベースボール上に提供される場合、新たなアイテム番号を割り当てることができる。アイテム番号はまた、そのログイン識別及び個人パスワードが入力された後に限りアクセス可能な買い手のポートフォリオの一部になる。収集物及びその識別番号は、所有者及びそのポートフォリオに調和する。
【００１３】
料金は、登録を年間で維持するために、登録の更新又は新規取引それぞれで、及び／又は、レジストリ操作者の選択枝で、ウェブサイトに支払われる。契約によって、料金の一部は、元の登録を行うことに関与する美術市場においてそれらのプロに送金されうる。新規登録がアイテムの創作者、例えばアーティスト、又はサイン入り記念品を有するスポーツ有名人によって行われる場合には、人は、登録が経過していない限り後続取引において残余の支払いを得る。さらに、契約によって、元の登録者は、アイテムの後続の販売について通知されうる。料金の支払いで、ウェブサイトは、更新及び／又は登録時に新規所有者によって許可が承認されたことを仮定すると、市場目的のために元の登録者に新規所有者に関する情報を提供する。さらに、レジストリカンパニーは、元の登録者の代わりに新規所有者へ選択的に連絡しうる。潜在的な買い手が作品のプロビナンスを見られるように、場合によっては価格を除く特定アイテムに関する販売取引の全てのリストを提供することが可能である。これは、許可によって行われてもよいか、又はそれが登録の要求でもよい。識別又は課金番号は、本物の所有者が匿名性を維持したい場合に使用されうるが、その場合、レジストリは、本当の所有者を知り、所有者の識別又は課金番号を含む取引を証明する。
【００１４】
さらに、アイテムの潜在的な買い手が、売り手がアイテムの合法的所持者である確認をしたい場合、売り手は、手数料の支払いでウェブサイトによって発行される独特の識別番号を提供しうる。この補助的番号は、取引記録を確認するために無料で又は額面価格で潜在的買い手がウェブサイトにアクセスすることを可能にするが、登録の如何なる変更もできない。故に、買い手は、売り手がアーティスト、ギャラリー、又は認可されたストアのような合法的な最初のソースからの所有権の連続であることを確認できるため、イーベイのようなインターネット上で独自のユニークなアイテムを快適に購入できるようになる。
【００１５】
本発明は、売り手の所有権の買い手に十分な量のセキュリティを提供するためにアイテム又はその認証の物理的移動を要求せずに、迅速にかつ遠隔でアイテムを販売する売り手の能力を高める。
【発明を実施するための最良の形態】
【００１６】
図１を参照すると、コンピュータを接続するためのインターネットを用いる従来のクライアントサーバー構成が示されている。登録ウェブサイトサーバー１２は、レジストリカンパニーによって動作され、データベースを有し、図２で説明される方法の少なくともいくつかの局面を実行するためのアプリケーションソフトウェアを走らせる。売り手がそのコンピュータ１４、モデム、及びインターネットサービスプロバイダを用いて美術品を獲得したアートギャラリーであると仮定すると、ギャラリーは、インターネット１０を介してウェブサイトサーバー１２にログオンする（ステップ２１）。通常の初期画面で、システムは、電子資金取引、クレジットカード、所定アカウント、又は各種従来技術手段によって登録料を徴収することができる。ギャラリーはまた、図３に示されるようなサーバー１２によってコンピュータ１４で提供される登録画面にナビゲートすることが許可される。ここで、ギャラリーは、売り手領域３０にアーティストの名前及び住所を入力することによって美術品を登録する（ステップ２２）。それは、買い手領域３２にそれぞれの名前及び住所を置くか、又はそれは、買い手領域を空白で残して特定収集物上に権利書のための未決注文を置く。元のソース（例えば、ギャラリー又はアーティスト）が一定の又は全てのその収集物上に権利書のための注文をしたことに留意されたい。購入取引の後、“買い手”領域が買い手の名前で完成される。領域３４はまた、タイプ（塗装）、説明、仕入価格、当時のアイテム場所、及び任意にギャラリー又は第三者が美術品を鑑定又は証明したか否かのような、アイテムについての情報を登録するのに用いられる。ギャラリーはまた、アイテムを識別する追加の手段としてレコードにアイテムの１つ以上の電子画像を挿入又はアップロードしうる。ギャラリーは、適法なソースと推定され、美術品を認証することができる。
【００１７】
故に、独自のデータベースを備えるレジストリカンパニーのサーバー１２は、売り手及び買い手の名前で美術品に関する名称及び全ての関連情報を登録する場所である。サーバーはまた、同様に生成されるが異なる課金番号とともに、不規則に生成された取引番号をギャラリーに戻す（ステップ２３）。これは、図３の領域３６を投入することによってなされる。
【００１８】
ギャラリーがカスタマー、例えばミスタージョンに美術品を販売する時、ギャラリーは、仕入価格に登録の費用を含ませることができる。（アイテム番号及び取引番号を含む）登録情報は、美術品とともにミスタージョンに提供される。ミスタージョンがちょうど購入した作品に対する権利書を受取るには、ミスタージョンは、例えばウェブサイトでシステムに関連情報を入力する必要があり、それによりログイン名及びパスワードを選択できるようになる。この時、レジストリカンパニーは、多数のソースを用いてミスタージョンの身元を証明及び認証し、それによりウェブサイトを介してシステムにアクセスする人が実際にミスタージョンであることを確認する。この処理が一度完了すると、ミスタージョンは、証明書上に収集品、（複数の）登録番号、及び所有者名（ミスタージョン）に関する情報を列挙する権利書を受取る。データベースは、このアイテムに関するミスタージョンのポートフォリオに含まれるべき任意の他のデータに加えて、この情報を反映する。美術品の次の販売を行う能力を高めるために、ミスタージョンは、現在所有者であることを示すために登録情報を更新する。彼は、自分のコンピュータ１６からレジストリカンパニーのウェブサイトにログオンすることによってこれを行う。初期画面において、ミスタージョンは、更新料を支払い、ギャラリーによって提供される取引コードを入力する。これは、オリジナルアイテム及び取引番号に基づく買い手情報であるため、売り手情報がレジストリによって予め書込まれていることを除いて図３と一見して似ている登録画面（ステップ２４）にミスタージョンを引付ける。ミスタージョンは、新規買い手情報、例えば自分に関する情報を挿入することを要求される。また、アイテムの説明は、レジストリシステムによって予め書込まれている。好ましい実施形態において、新規買い手は、売り手及びアイテム情報を変更することができない。ただ彼は、自分の名前、住所、及び他の要求された情報を入力し、場合によってアイテムの場所に関する情報を変更できるだけである。システムはまた、既存のアイテム番号に基づく新規取引番号を自動的に生成する（ステップ２５）。
【００１９】
要求されない一方、本発明の好ましい実施形態において、レジストリカンパニーは、毎年買い手に通知し、登録の更新又は継続のための料金を要求しうる。プロビナンス（権利関係の連続／所有権）がアーティストから始まった場合、美術品の最初の所有者及び全ての後続の所有者は、権利関係の連続がアーティストから最近の所有者まで壊れない状態を維持することに懸念がないよう登録を維持しなければならない。さらに、作品は、アーティストに連続的分配（ローヤリティ）を提供するだけでなく、その価値を保持する。
【００２０】
さらに、更新の費用を一層低減する複数年オプションがあり、特定の収集品又は大規模なポートフォリオ価格によって更新されうる。さらに、その登録を維持することによってアクティブな登録は、売りに出したそのアーティストによる新規作品の（アーティストの裁量での）通知、ウェブサイトを介して売買する機会、収集者に興味のある有益な記事、オークションの通知、及び美術展等、ウェブサイトの他の特徴から恩恵を受ける。故に、貴重な収集物を購入した人たちは、その登録を維持したいと思うに違いない。
【００２１】
アイテムを販売し、登録を更新及び再開する処理は、永久に継続しうる。しかし、所有者がインターネット上又は向かい合わないいくつかの他の取引で美術品を販売したいステップ２６を仮定すると、売り手はさらに、全ての潜在的な買い手にゲストアクセスコードを提供しうる（ステップ２７）。一例として、ゲストアクセスコードは、イーベイ等のインターネットオークションサイト上でのアイテムの説明の一部から構成されうる。美術品に興味のある買い手はさらに、サーバー１２にログオンしうる。初期画面において、美術品を登録するか又は登録更新するためにボタンをクリックする代わりに、潜在的な買い手は、権利検索ボタンをクリックしうる。無料で、又は通常の方法で収集された額面価格で、潜在的な買い手は、ゲストアクセスコードを入力しうる（ステップ２８）。その時、潜在的な買い手は、図４に示されるような取引の履歴を提示される。
【００２２】
図４から分かるように、買い手及び売り手の識別（名前及び／又はｉｄ番号）（４１、４３）、関連した取引番号４５、取引の日付４７（即ち、買い手及び売り手）、及び任意の第三者認証又は評価情報４９が示される。さらに、ページは、アイテム４０の説明と、任意にアイテム４２のデジタル電子画像とを提供しうる。
【００２３】
図４の取引履歴は、ギャラリーに美術品を販売するアーティストと、ギャラリーがそれを認証した事実とを示す。それはまた、ミスタージョンに美術品を販売するギャラリーと、ミスタージョンがそれを認証しなかった事実とを示す。さらに、ミスタージョンによるミスタースミス（及び／又は彼の識別番号）への販売を示す。販売価格がリストされないことに留意すべきである。しかし、販売価格及び／又は評価価格はまた、当事者の同意によってリストされうる。例えば、ギャラリー又はギャラリーによって雇用された専門家は、アイテムを評価でき、この情報は、ギャラリーによって生成される登録に含まれうる。
【００２４】
ミスタースミスがインターネット上で売りに出した美術品を載せた人である場合、潜在的な買い手は、それが一度認証及び／又は評価されたことを見ることができ、アーティストからミスタースミスまでの権利関係の連続が壊れない。故に、潜在的な買い手は、合法的な所有者から美術品の合法的な作品を購入することに対する一層の信頼度を有する。さらに、潜在的な買い手は、アイテムの画像４０を見て、インターネット上で提示されたものとそれとを比較することができる。
【００２５】
美術品がインターネット上で購入される場合、買い手は、登録を更新しかつ次の販売を簡単にできるように、現在の取引番号が提供されうる。
【００２６】
上で述べたように、各登録、再開、更新、及び検索において、ウェブサイトは、収入をもたらすことができる。契約によって、元の売り手（アーティスト、ギャラリー、問屋）は、妥当な場合、毎年又は複数年の登録再開が発生する度に、及び登録アイテムが再販売され更新される度にローヤリティの支払いで高評価が得られる。これは、レジストリカンパニーによって管理される。さらに、レジストリカンパニーは、ウェブサイト上に出される広告から収入をもたらすことができる。
【００２７】
さらに、登録、再開、又は更新後すぐに、カスタマーは、同様なアイテムに関する情報を受取りたいか否かを尋ねられることがある。カスタマーがそのような情報を受取ることを選択した場合、アーティスト、ギャラリー、又は先の所有者は、ウェブサイトへの料金の支払いで（ウェブサイトを介するか又はカスタマーに直接の何れか一方で）それを提供することを許可されうる。おそらく、アイテムを購入する何人かは、同一のアーティストによるか又は同一のギャラリーからの、追加の美術品の購入に対する良い候補である。新規登録者は、同一のアーティストから新しい美術品に関する情報、アーティストによって若しくは彼らが登録アイテムを購入したギャラリーで美術品等の展示に関する情報、又は他の同様なイベントに関する情報を受取りたいか否かを尋ねられる。登録者はまた、広報活動のために又は他の市場目的のためにアーティストの美術品の収集リストに対して、アーティスト又はギャラリーに利用可能にされた自分の連絡先を含みたいか否かを尋ねられることがある。そうでなければ、登録者は、宣伝目的のための連絡がもしあればレジストリカンパニーを介してなされる必要があるため、匿名を維持するか又は数字コード又は偽名によって識別されるかを選択することができる。
【００２８】
要求されない一方、好ましくは、システムは、取引が発生したことをアーティスト又はギャラリーに通知し、かつ取引に関する情報を手数料によって彼らに提供するか又は同一のギャラリー若しくはアーティストから利用可能な美術品についての取引への参加者に情報を送信することができる。
【００２９】
上で述べたように、新規登録への動機付けとしてではあるが、システムは、特にそれがアーティスト又はギャラリーである場合、収集した料金の一部を、最初の取引において元の登録者又は他の参加者に返すことができる。これは、最初の販売の後に続く収入がもたらされることを可能にし、最初の取引のかなり後に美術品の場所を任意に追跡するアーティスト又はギャラリーのための残余を形成する。新規登録又はアイテムの販売に先立つ登録へのさらなる動機付けは、登録が未登録美術品上のセキュリティ、一層高められた値、及び優位性のある長所を提供することである。さらに、売り手によって被った登録料及び任意の再開料金は、仕入価格の一部として買い手に移すことができる。
【００３０】
美術品に加えて、他の独特なアイテム、例えばスポーツ記念品、上等のワイン、希少本、コイン、スタンプ、及び他の収集物等がさらに登録されうる。共通のアイテムがさらに登録されうる一方で、そのようなアイテムの不正な複製の生成に対する動機付けが全くないので、そのようなアイテムの登録に対する大きな関心が存在することは期待されない。
【００３１】
本発明によって提供される所有権の連続は、アーティスト及びギャラリー、又は最初の取引における他の参加者に対して残余を支払い、買い手にさらなるセキュリティの安心感を提供し、かつ一層の入札者及び一層の高価格をアーティスト及び美術品が見込めるようにする新産業のための基盤になりうる。処理に対するさらに一層望ましくかつ独特な属性を以下に示す。
Ａ．美術品がイーベイ等のウェブサイトに入札のためにアップされて多数の有望応札者がいる場合、これらの入札者は、売り手に通知又は混乱させることなくアイテムの履歴を検討するためにウェブサイトに行くことができる。さらに、売り手の匿名性を維持することができる。
Ｂ．アーティストの視点において、アーティストがカスタマーに自分の美術品を販売する時、アーティストは、元の買い手のみ知っている。美術品が元のカスタマーから他のカスタマーによって販売された後、アーティストは、自分の美術品の所有者が誰かもはや知ることができない場合がある。本発明を用いて、アーティストは、たとえそれが多く販売されて販売ごとに登録がなされても、自分の美術品の現在の所有権及び／又は所有権（プロビナンス）の履歴を決定することができる。この特徴は、アーティストにとってかなり有益である。アーティストは、任意の新しい創作物を通知するために自分の美術品を購入した全ての人々に手数料を徴収してレジストリを介して連絡することが可能になる。
Ｃ．残余のローヤリティは、ＴＶ番組が放送される度に支払われ、ローヤリティは、広告が示される度に支払われ、作曲者は、自分の音楽が再生される度にローヤリティを受取る。ここで初めて、権利／所有権についてのアイテムの連続を追跡するプロビナンスデータベースは、それが登録されると美術品が再販売される度にアーティストにローヤリティの支払いのための場所を提供するのに用いることができる。これは、ＰＣの導入及び本発明による登録処理の前において可能ではなかった。故に、アーティストを作曲家、執筆家、及び俳優等と同一条件にすることができる。
Ｄ．１つの実施形態において、システムの動作は、２つの目的を有するとして見なされうる。レジストリカンパニーは、登録アイテムの全タイプに関する全てのデータのための保管場所の機能を果たす。本発明はまた、その評価処理の一部として保険会社に有益となりうる。本発明の使用により、予め評価された任意のアイテムの再評価における保険会社の経費を大幅に低減することができる。この再評価情報は、レジストリ上にそのようなものとして書き留められうる。さらに、火事等の災害が発生して保険付のアイテムがバックアップ書類とともに破損した場合、保険会社及び／又は所有者は、売り手から特定の時間及び場所でアイテムが購入されたことを証明するために、レジストリカンパニーから関連情報を取得することができる。また、アイテムのデジタル画像は、レジストリから利用可能でもよい。
【００３２】
世界中の至る場所のアーティストは、買い手、ギャラリー所有者、競売人、及び保険会社と同様に、この処理からかなり恩恵に浴することができる。この方法は、購入されているものについてさらに大きな価値を付け、それにより一層高い価格を支援し、産業の基盤となる。
【００３３】
例示目的だけであるが、美術品の作品が１０００００ドルで購入される場合を仮定すると、その価格に含まれるのは、購入者の名前における登録費用であり、アーティスト及びディーラーに２４．９５ドルで販売された。（個人の買い手は、さらに請求されうる。）２４．９５ドルの料金のうち５．００ドルは、アーティストに充当され、場合により３．００ドルがギャラリーに充当されうる。これは、レジストリカンパニーによって動作される会計ソフトウェアによって扱われる。
【００３４】
一実施形態において、登録料金は、一度のみ請求され、更新料金は、所有権の変更上でのみ請求される。しかし、代替として、請求は、登録された美術品の経過を追うために毎年（例えば７．９５ドル）行うことができる。この更新料金に関する２ドルは、アーティストのアカウント（ローヤリティ）に充当されることができ、２ドルがギャラリーアカウントに行くことができる。ギャラリーは、販売人として継続することができる。これは、レジストリカンパニーに３．９５ドルを残す。５年後、アーティスト及びギャラリーは各々、その１つの絵画の販売から充当で追加の１０．００ドルを受取ったであろう。収入の追加のソースとして、レジストリカンパニーは、取引の管理又は手数料（１０から１５％）の、何れか高いほうの最低料金を取得することができる。
【００３５】
もう１つの実施形態において、新規登録者は、登録アイテムの買い手に関する情報又はそのアイテムだけに関する情報を提供するために登録上の選択枝を有する。新規登録者はたいてい、売り手、及びしばしば美術館等のプロの売り手である。新規登録者が登録アイテムの買い手に関する情報をレジストリカンパニーに提供することを選択した場合、そのような情報は、買い手の名前、郵送、及びｅメールアドレスを含みうるがそれに限定されない。アイテムに関する情報は、アイテムの電子画像、例えば、番号が付されたレーザーフォト、アイテムの仕入価格、及びアイテムの認証性と価値を含みうる。
【００３６】
新規登録者がこの情報を提供する場合、レジストリカンパニーは、そのウェブサイト上にこの情報の一部又は全部を提供しうる。さらに、レジストリカンパニーは、毎年更新される支払いを要求するために買い手に連絡し、特別イベント、販売、及びオークションの通知等の関心があると見なしうる他の情報を買い手に送信しうる。買い手が毎年更新される支払いを行う場合、登録が現状維持され、毎年の支払いの一部がアーティスト（即ち、アイテムの創作者）、新規登録者（即ち、ギャラリー）、及び他の参加者に最初の取引で送金される。アイテムが再販売された場合、アーティスト及び新規参加者は、アイテムが新たな所有者によって登録された時に、新規販売の登録に対して請求される料金の一部を受取ることを継続してもよい。
【００３７】
登録の不意な喪失を回避するために、レジストリカンパニーは、複数年の登録契約、登録保険、又は失効した登録を回復すべく経過前年の登録料金を所有者が支払えるようにすることを提供できる。販売に先立ち、登録が失効した現在の所有者は、持続的な権利関係の連続を維持するために経過年に対する料金の支払いに加えて、一回限りの復活料金を支払うことができる。しかし、販売が復活前に発生した場合、プロビナンスは、新たな買い手によって販売及び登録から再開する。
【００３８】
新規登録者が買い手に関する任意の情報を提供しないことを選択した場合、買い手は、登録を現状に維持できる範囲に及ぶことができない。故に、登録が失効する。買い手が再びアイテムを販売した場合、売り手又は新たな買い手は、新たな販売を登録できるが、所有権の連続が維持されず、それは、後の取引から再開されねばならない。
【００３９】
本発明のもう１つの実施形態において、全ての登録及び毎年更新される料金の一部は、困っているアーティストの支援に尽くす非営利組織に支払われる。これは、芸術のコミュニティに更なる恩恵となる。この非営利組織は、その独自の名称と全ての登録及び更新料金の手数料から特に生成される資金を管理する独特な取締役会とを備えるレジストリカンパニーから分離される。初めの１年間、臨時の取締役会が資金の管理を監視する。これらの取締役会のメンバーはまた、プロ及び非プロマネージャーに入れ替えることができる。
【００４０】
チャリティが含まれる登録の動作からの資金の分配ストラテジの一例を以下に示す。
【００４１】
【表１】
2007526583.tif 000003
【００４２】
外部組織は、アーティストに特に関連しない慈善団体と芸術的イベントの主催者とを含みうる。レジストレーションカンパニーに加えてテーブルにリストされる１人以上の参加者が登録処理に実際参加しない場合、残りの参加者は、比例配分ベースで収益の５０％を受取ることができる。合計は、動作費用の控除後の総利益又は純受領高の何れか一方にすることができる。
【００４３】
本発明に従って貴重なアイテムを登録するためのシステム及び方法のこの好ましい実施形態を説明したが、ここで示された教示に鑑みて、他の変更、変形、及び改良が当業者に提案される。故に、そのような変更、変形、及び改良は、添付された特許請求の範囲によって画定される本発明の範囲内にある。
【図面の簡単な説明】
【００４４】
【図１】図１は、本発明によるシステムの実施形態を示す図である。
【図２】図２は、本発明による方法のフローチャートである。
【図３】図３は、アイテムの登録の登録又は更新のために図１のシステムによって生成される画面を示す図である。
【図４】図４は、本発明によるアイテムの所有権の連続を表示するために図１のシステムによって生成される画面を示す図である。
【符号の説明】
【００４５】
１０  インターネット
１２  登録ウェブサイトサーバー
１４  売り手コンピュータ
１６  買い手コンピュータ
【図１】
2007526583.tif 000004
【図２】
2007526583.tif 000005
【図３】
2007526583.tif 000006
【図４】
2007526583.tif 000007
【国際調査報告】
2007526583.tif 000008